(57)【特許請求の範囲】
【請求項１】
装置本体の正面に、該装置本体内に配設された紙幣搬送路と連通する紙幣挿入口が形成されたフロントカバーを装着するようにした紙幣処理装置において、
前記フロントカバー内にＩＣカードのＩＣ記憶領域に対して情報の記録再生処理を行うカードリーダライタ手段を配設するようにしたことを特徴とする紙幣処理装置。
【請求項２】
前記ＩＣカードは、前記紙幣挿入口への紙幣挿入方向に対し直角方向から前記フロントカバー内に着脱自在に装着されることを特徴とする請求項(1)記載の紙幣処理装置。
【請求項３】
前記ＩＣカードは、前記紙幣挿入口への紙幣挿入方向と同一方向から前記フロントカバー内に着脱自在に装着されることを特徴とする請求項(1)記載の紙幣処理装置。
【請求項４】
前記カードリーダライタ手段は、カード挿入口と、カードホルダー部と、情報アクセス手段とからなることを特徴とする請求項１に記載の紙幣処理装置。
【請求項５】
前記カードホルダー部には、カード露出窓が形成されていることを特徴とする請求項４に記載の紙幣処理装置。
【発明の詳細な説明】
【０００１】
【発明の属する技術分野】
この発明は、自動販売機、両替機、サービス機器等に使用され、投入紙幣の真偽を判別するとともに、真券を収容するようにした紙幣処理装置に関する。
【０００２】
【従来の技術】
一般に、商品の購入等に関し紙幣を取り扱う自動販売機、両替機、サービス機器等内には、投入紙幣の真偽を判別するとともに、真券をスタッカ内に積載収容するようにした紙幣処理装置が装着されている。
【０００３】
一方、近年では、通貨を使用することなく、金銭情報等の各種情報がＩＣ記憶領域内に記録されたカード、いわゆるＩＣカードを使用して自動販売機から物品を購入する場合がある。
【０００４】
このようにＩＣカードを使用して商品を購入する場合は、当該ＩＣカードのＩＣ記憶領域にアクセスして、金銭情報等の各種情報を記録再生するカードリーダライタを自動販売機等のサービス機器等内に装着することが必要である。
【０００５】
なお、現在、上述したカードリーダライタのＩＣカードに対するアクセス形式としてはＩＣ記憶領域に対し、アンテナ等の通信手段を介し非接触でアクセスするもの、あるいはＩＣ記録領域に対しコンタクトを介し直接接触してアクセスするもの、あるいは、このような接触型、非接触型双方のアクセス機能を有するもの等が提供されている。
【０００６】
また、ＩＣカードも上述したカードリーダライタの各種アクセス形式に対応して、カード内にアンテナ機能を有し非接触でＩＣ記憶領域から情報を伝達する形式のもの、あるいはカードリーダライタのコンタクトに直接接触して情報を伝達する形式のもの、また接触型、非接触型双方の機能を兼ねそなえた形式のもの等が提供されている。
【０００７】
【発明が解決しようとする課題】
ところで、上述した紙幣処理装置、あるいはカードリーダライタを、それらが装着される自動販売機等のサービス機器側からみると、上述したカードリーダライタのみを単独で自動販売機等内に装着する場合は特にその設置スペース等について問題は生じないが、従来のごとく紙幣処理装置、硬貨処理装置等が配設された自動販売機内に、さらに加えて新たにカードリーダライタを装着する場合は、このカードリーダライタを装着するためのスペースを自動販売機内に確保する必要があり、このため狭い自動販売機等のサービス機器内の商品収容スペースがカードリーダライタを装着することにより一層狭くなり、このため自動販売機等内に十分に商品を収容するスペースを確保することができなくなる虞があった。
【０００８】
この発明は上述した事情に鑑み、ＩＣカードのカードリーダライタ機能を有する紙幣処理装置を提供することを目的とする。
【０００９】
【課題を解決するための手段】
上述した課題を解決するため、この発明では、紙幣挿入口が形成されたフロントカバー内にＩＣカードのＩＣ記憶領域に対する情報の記録再生処理を行うカードリーダライタ手段を装着するようにしている。
【００１０】
【発明の実施の形態】
以下、この発明に係わる紙幣処理装置の一実施例を詳述する。
【００１１】
図１はこの発明に係わる紙幣処理装置１を示す概念斜視図である。
【００１２】
この紙幣処理装置１は、装置本体２とその背面に配設され、当該装置本体２に対して開閉自在に配設された紙幣収容用のスタッカ３とから構成されている。
【００１３】
一方、この装置本体２の正面２ａには、当該正面２ａを覆ってフロントカバー４が着脱自在に装着されている。
【００１４】
このフロントカバー４には、その正面４ａ下方に図示せぬ投入紙幣を嵌挿する紙幣挿入口５が形成されている。
【００１５】
なお、このフロントカバー４の正面４ａは、図示せぬ自動販売機等の扉６から前方に突出するように形成されている。
【００１６】
一方、このフロントカバー４の上方には、ＩＣカード１０に配設されたＩＣ記憶領域１１に対し、金銭情報等の情報の記録再生処理を行うカードリーダライタ手段１２が配設されている。
【００１７】
このカードリーダライタ手段１２は、フロントカバー４の右側方４ｂに形成されたカード挿入口１３と、フロントカバー４内に形成されたカードホルダー部１４と、図１の概念断面図で示す図２のように、カードホルダー部１４の背面に配設された情報アクセス手段１５とから構成されている。
【００１８】
なお、実施例のＩＣカード１０はその内部にコイル等の図示せぬアンテナ部材を有し、非接触でＩＣ記憶領域１１から情報アクセス手段１５へ情報を伝達する形式のカードであり、また対応するカードリーダライタ手段１２の情報アクセス手段１５もＩＣカード１０のＩＣ記憶領域１１に対しアンテナ等の通信手段を介し非接触でアクセスする形式のものである。なお、図１に示すように、カードホルダー部１４に対向するフロントカバー４の正面４ａには、挿入されたＩＣカード１０の表面一部を露出させるカード露出窓１６が形成されている。
【００１９】
なお、図２で符号２０は、フロントカバー４内に配設され、紙幣挿入口５に連通して配設された紙幣案内シュート２１を開閉する上下動自在なシャッター手段、符号２３は、紙幣案内シュート２１内を通過する紙幣に搬送力を与える紙幣搬送ローラ、２４、２５は投入紙幣の真偽を判別する磁気センサー、フォトセンサー等からなる紙幣識別手段、２６は各紙幣搬送ローラ２３を駆動する紙幣搬送モータ、２７はスタッカ３内に積載収容された紙幣、２８はスタッカ駆動用モータ、２９は各種制御回路が形成された基板を収容した制御基板収容部である。
【００２０】
次に、上述した紙幣処理装置１の作用を説明する。
【００２１】
まず、図示せぬ投入紙幣が図１の紙幣挿入口５内に投入されると、それを検知する図示せぬセンサーの検出信号に基づき図２に示すシャッター手段２０が上動し、かつ各紙幣搬送ローラ２３が回転して、投入紙幣を紙幣識別手段２４、２５へ搬送する。
【００２２】
この紙幣識別手段２４、２５へ搬送された紙幣が真券である場合は、さらに紙幣案内シュート２１の下流へ搬送され、スタッカ３内に積載収容される。
【００２３】
なお、紙幣識別手段２４、２５へ搬送さされた紙幣が偽券と判断された場合は、紙幣搬送ローラ２３が逆転して投入紙幣を紙幣挿入口５から返却する。
【００２４】
一方、ＩＣカード１０を使用する場合は、図１の矢印Ａで示すように、図示せぬ紙幣の挿入方向と直角方向へ向け当該ＩＣカード１０をカード挿入口１３内に挿入する。
【００２５】
そしてＩＣカード１０がカード挿入口１３内に嵌挿されると、そのカード１０は図３で示すようにカードホルダ部１４内の所定位置に位置決めされる。
【００２６】
なお、その際、図示しないが係合爪等からなるラッチ手段がＩＣカード１０の後端に係合し、当該カード１０の処理中に当該カード１０がカードホルダ部１４内から取出されることを防止する。
【００２７】
このように、ＩＣカード１０がホルダ部１４内の所定位置に位置決めされると、それを検出する図示せぬセンサーの検出信号に基づいて、ホルダ部１４の背面に配設された情報アクセス手段１５（図２）によりＩＣ記憶領域１１に対する情報のアクセスが非接触で開始され、ＩＣカード１０に対する情報の記録再生処理が行われる。
【００２８】
このようにＩＣカード１０のＩＣ記憶領域１１に対する情報の記録再生処理が終了すると、その終了信号に基づき図示せぬラッチ手段のカードラッチが解除され、同時にカードホルダ部１４内に配設された図示せぬ付勢手段により、ＩＣカード１０の後端がカード挿入口１３内から突出するので、オペレータは記録再生処理が終了したカード１０をカード挿入口１３内から簡単に取り出すことが可能となる。
【００２９】
なお、上記実施例ではカードホルダ部１４にカード露出窓１６が形成されているので、図３で示すように、カードホルダ部１４内にＩＣカード１０が装着されているか否かを簡単に認識することができ、このためカードホルダ部１４内に装着されたＩＣカード１０の取り忘れを可及的に防止することができる。
【００３０】
なお、上記実施例では、ＩＣカード１０を全てカードホルダ部１４内に嵌挿させ、その後端を図示せぬラッチ手段によりラッチさせ、ＩＣ記憶領域１１に対する情報の記録再生処理中はその取出しを防止するようにしたが、この発明は上記実施例に限定されることなく、カードホルダー部１４の長さをＩＣカード１０の長手方向に沿って短く形成し、ＩＣカード１０をカードホルダー部１４内に装着させた際に、その後端が常時カードホルダー部１４から突出した状態に維持させ、それによりＩＣ記憶領域１１に対する情報の記録再生処理後は簡単にＩＣカード１０をカードホルダー部１４から取出せるように構成しても良い。
【００３１】
なお、上記実施例では、図１に示すように、ＩＣカード１０を紙幣挿入方向に対し直角方向へ向け移動させ、かつＩＣカード１０を垂直な姿勢に保った状態で装着させるようにしたが、この発明は上記実施例に限定されることなく、図１と同一部分を同一符号で示す図４のように、ＩＣカード１０を紙幣挿入方向に対し直角方向へ向け移動させ、かつＩＣカード１０を水平な姿勢に保った状態でフロントカバー４内に装着させるべく、フロントカバー４の上面４ｃ側にカードホルダー部１４を配設し、その背面に情報アクセス手段１５を配設するようにしても良い。この場合、カード露出窓１６もフロントカバー４の上面４ｃ側に形成されることは言うまでもない。
【００３２】
さらに、上記各実施例では、ＩＣカード１０を紙幣挿入方向に対し直角方向へ向け移動させてカードホルダー部１４内に装着させるようにしたが、この発明は上記実施例に限定されることなく、図１と同一部分を同一符号で示す図５のように、ＩＣカード１０を紙幣挿入方向と同一方向へ移動させてフロントカバー４内に装着させることも可能である。
【００３３】
この場合、カード挿入口１３をフロントカバー４の正面４ａに形成し、またカードホルダー部１４をフロントカバー４の上面４ｃ側に、またカード露出窓１６をフロントカバー４の上面４ｃに形成する。
【００３４】
なお、図４、５に示す各実施例では、ＩＣカード１０を水平な姿勢を保ちつつカードホルダー４内に装着する構造上、フロントカバー４の前後方向の長さＬは図１のフロントカバー４の前後方向の長さｌに比較して若干大きくなることは言うまでもない。
【００３５】
なお、上記各実施例のＩＣカード１０は、その内部にコイル等の図示せぬアンテナ部材を有し、非接触でＩＣ記憶領域１１から情報アクセス手段１５へ情報を伝達する形式のカードであり、また対応するカードリーダライタ手段１２の情報アクセス手段１５もＩＣ記憶領域１１に対しアンテナ等の通信手段を介し非接触でアクセスする形式のものとしたが、この発明は上記実施例に限定されることなく、上述したカードリーダライタ手段１２の情報アクセス手段１５によるアクセス形式としてＩＣ記録領域に対しコンタクトを介し直接接触してアクセスする形式のもの、あるいは、このような接触型、非接触型双方のアクセス機能を有するものを使用するようにしても良く、またＩＣカード１０のＩＣ記録領域１１もカードリーダライタ手段１２の情報アクセス手段１５のアクセス形式に対応してコンタクトに直接接触して情報を伝達する接触形式のもの、またこのような接触型、非接触型双方の機能を兼ねそなえた形式のものを使用してもよい。
【００３６】
また、上記各実施例の他、フロントカバー４に対するカードホルダー部１４およびカード挿入口１３の形成位置は、上記各実施例に限定されることなく、図１と同一部分を同一符号で示す図６のように、フロントカバー４の正面４ａ上端を手前に傾斜させ、その傾斜した正面４ａにカードホルダー部１４を形成し、またフロントカバー４の上面４ｃにカード挿入口１３を形成し、ＩＣカード１０をその長手方向の側面側からフロントカバー４の上面４ｃへ向けて装着させるようにしても良い。
【００３７】
また図１と同一部分を同一符号で示す図７のように、フロントカバー４の上面４ｃにカード挿入口１３を形成し、ＩＣカード１０をその長手方向の側面側からフロントカバー４の上面４ｃへ向けて装着させるようにしても良い。
【００３８】
また図１と同一部分を同一符号で示す図８のように、フロントカバー４の正面４ａ下方を突出させ、その突出させた部分４ｄ上面４ｆにカードホルダー部１４を形成し、またその突出させた部分４ｄの正面４ｇにカード挿入口１３を形成し、ＩＣカード１０の長手方向の側方側を前記突出させた部分４ｄの正面４ｇから装着させるようにしても良い。
【００３９】
また図１と同一部分を同一符号で示す図９のように、フロントカバー４の側方４ｂにカードホルダー部１４を形成し、またフロントカバー４の正面４ａにカード挿入口１３を形成し、ＩＣカード１０の長手方向の側方側をフロントカバー４の正面４ａから装着させるようにしても良い。
【００４０】
【発明の効果】
以上説明したように、この発明の紙幣処理装置では、紙幣挿入口が形成されたフロントカバー内にＩＣカードのＩＣ記憶領域に対する情報の記録再生処理を行うカードリーダライタ手段を装着するようにしたから、紙幣処理装置等が配設された自動販売機等のサービス機器内に、さらにカードリーダライタを装着するスペースを確保する必要がなく、このためサービス機器の内部スペースに制限を加えることなくカードリーダライタを装着することができる。また、紙幣挿入口が形成されたフロントカバー内にカードリーダライタ手段を装着するようにしたから、従来の紙幣挿入口のみが形成されたフロントカバーをカードリーダライタ手段を有するフロントカバーに交換することにより、従来の紙幣処理装置に大幅な改造を加えることなく安価にカードリーダライタ機能を有する紙幣処理装置を提供することができる。また、フロントカバー内にカードリーダライタ手段を装着するようにしたから、カードリーダライタ手段と紙幣処理装置の紙幣識別部との間の有害な信号干渉を可及的に排除することもできる。
【図面の簡単な説明】
【図１】図１はこの発明に係わる紙幣処理装置の概念斜視図。
【図２】図２は図１の概念断面図。
【図３】図３はこの発明に係わる紙幣処理装置の作用を示す概念斜視図。
【図４】図４は他の実施例を示す概念斜視図。
【図５】図５は他の実施例を示す概念斜視図。
【図６】図６は他の実施例を示す概念斜視図。
【図７】図７は他の実施例を示す概念斜視図。
【図８】図８は他の実施例を示す概念斜視図。
【図９】図９は他の実施例を示す概念斜視図。
【符号の説明】
１…紙幣処理装置
２…装置本体
２ａ…装置本体正面
４…フロントカバー
５…紙幣挿入口
１０…ＩＣカード
１１…ＩＣ記憶領域
１２…カードリーダライタ手段
【図１】
0003634616.tif 000002
【図２】
0003634616.tif 000003
【図３】
0003634616.tif 000004
【図４】
0003634616.tif 000005
【図５】
0003634616.tif 000006
【図６】
0003634616.tif 000007
【図７】
0003634616.tif 000008
【図８】
0003634616.tif 000009
【図９】
0003634616.tif 000010